(57)【要約】【課題】水あるいは抗菌剤、抗カビ剤、消臭剤等の溶液が、効率的に０．１ミクロン以下に超ミスト化され、着衣や部屋内をべたつかせるおそれがない噴霧装置を提供すること。【解決手段】液体を超音波発振器によって霧化して外部へ噴射する噴霧装置であって、第１霧化室において、超音波発振器によって上方へ向けて発生した液体粒子をスカート部付きの跳ね返し部で下方へ跳ね返し、上部後方部から入れられた下向きのエア流れによって液面方向へ下降させた後、上方の第２霧化室へ移動させ、第２霧化室において、後側下部から上向きに入れられた液体粒子を、水平旋回のエア流れと、上部後方部から入れられた下向きのエア流れによって攪拌し、概ね０．１ミクロン以下の液体粒子を上部後方部から外部へ噴射することを特徴とする噴霧装置。【選択図】図２
2007130555.tif 000002
【特許請求の範囲】
【請求項１】
液体を超音波発振器によって霧化して外部へ噴射する噴霧装置であって、
第１霧化室において、超音波発振器によって上方へ向けて発生した液体粒子をスカート部付きの跳ね返し部で下方へ跳ね返し、上部後方部から入れられた下向きのエア流れによって液面方向へ下降させた後、上方の第２霧化室へ移動させ、
第２霧化室において、後側下部から上向きに入れられた液体粒子を、水平旋回のエア流れと、上部後方部から入れられた下向きのエア流れによって攪拌し、概ね０．１ミクロン以下の液体粒子を上部後方部から外部へ噴射することを特徴とする噴霧装置。
【請求項２】
前記第１霧化室の下向きのエア流れが、前記第１霧化室の上部に水平方向に流入され、前壁面に当たって下降することを特徴とする請求項１に記載の噴霧装置。
【請求項３】
前記第２霧化室の下向きのエア流れが、前記第２霧化室の上部に水平方向に流入され、前壁面に当たって下降することを特徴とする請求項１に記載の噴霧装置。
【発明の詳細な説明】
【技術分野】
【０００１】
本発明は、液体を超音波発振手段によって微ミスト化して、雰囲気中に噴霧する噴霧装置に関するものでる。
【背景技術】
【０００２】
従来、一般住居やオフィス等で空気が乾燥した時には加湿器が用いられており、一般的には、超音波発振装置を内装して、水道水等を液体タンクに入れて噴霧させているものである。
【０００３】
住居、ホテル、雀荘、パチンコ店、焼き肉店等においては、部屋の中に臭いがこもりがちで、抗菌、抗カビ、消臭をする必要とする場所は多いものである。然し乍ら、従来の加湿器である噴霧器は、本体ケーシングの上方から液体を超音波発振させて微粒子にして湯気のように噴霧させているものが多く、加湿効果は有しているものの、その粒子は不均一であり、また噴霧効率も低いものである。
【０００４】
そのために、消臭手段を有するものとして、雰囲気中の発臭成分を分解消臭する方法であって、発臭成分を分解消臭しうる消臭剤水溶液を超音波発振にてミストに霧化し、超音波発振による霧化ミストを乗せた空気流を下方に向けて配置された超徴粒子選択プレートに当て、３ミクロンを超える粗粒子ミストを自重により落下させて空気流から除去することにより、霧化ミストから３ミクロン以下の超微粒子ミストを選択して空気流とともに消臭すべき雰囲気中に吹き込むようにしたものが提案されている。（例えば、特許文献１参照）
このように構成することによって、消臭液の超微粒子ミスト浴を実現し、着衣や部屋内をべたつかせることなく分解消臭することができる。
【０００５】
また、次亜鉛素酸水溶液貯留部内の次亜鉛素酸水溶液に対して超音波振動子によって超音波を作用させ、微粒子発生部で次亜鉛素酸水溶液の微粒子を発生させ、この微粒子を誘導管路によって噴霧口から大気中に放出し、このときに噴霧口の直下に設けられた噴霧口から送出させる搬送流にのせて上記噴霧を遠くまで搬送して放出するものが開示されている。（例えば、特許文献２参照）
【０００６】
さらに、本体ケーシングの前面にデザイン化した透明部材を張設した窓部を備えたことと、窓部の上方の本体ケーシングの内側に照明手段を設けたことと、窓部の下方の本体ケーシングの内側に超音波発振手段を設けたことを特徴とする照明付き噴霧器が提案されている。（例えば、特許文献３参照）
【０００７】
このように構成した照明付き噴霧器においては、水あるいは照明手段で窓部の上方から超音波発振手段を照明できると共に、仕切板に穿設した空気流入孔から流入する空気と超音波発振手段を発振させて液体を霧化させて立ち上る微粒子を混流させしかも湧き上がる雲海のように成り、それを本体ケーシングの前面の窓部から目視することができる。更に、照明手段をカラー照明とすることができ、幻想的な世界に浸れるものであり、更には、略半割れ截台円錐状の微粒子選択カップと本体ケーシングの仕切板に空気流入孔を穿設したことにより、液体を霧化した微粒子の流れがスムーズに成り、加えて、霧化して微粒子にする液体を抗菌効果、防カビ効果、消臭効果を有する水溶液を用いることによって、本来の加湿効果と、抗菌効果、防カビ効果、消臭効果を得ることができる。
【０００８】
【特許文献１】特許３０６７０８９号公報
【特許文献２】特開２００３−１６９８４２号公報
【特許文献３】特開２００５−１４４０９６号公報
【発明の開示】
【発明が解決しようとする課題】
【０００９】
前記特許文献に開示された噴霧器においては、水あるいは抗菌剤、抗カビ剤、消臭剤等の溶液は、３ミクロン以下の超ミスト化がなされるが、超ミスト化が不完全である。例えば、引用文献１に開示された照明付き噴霧器においては、超音波発信手段の上方に微粒子選択カップを配置している。超粒子選択カップは、仕切り板との間に大きな間隔が設けてあり、仕切り板の下部に設けられた送風口から吹き込まれる空気はほとんどのものが水平に廻るか吹き上げられ、そのまま前記超粒子選択カップ内を旋回することなく、前記超粒子選択カップと前記仕切り板の間から、水平方向あるいは上昇方向へ噴出される。従って、この前記超粒子選択カップから噴出される噴霧体には、３ミクロン以上のミストも多く含まれる。
【００１０】
３ミクロン以上の粒子を含む噴霧体は、粒子重量が大きく落下速度が速いことに加えて、大きい粒子が超ミスト粒子を吸着して落下することから、噴霧装置から遠く離れたところや高いところに到達し難く、高い抗菌効果、防カビ効果、消臭効果を得ることが困難である。
さらに、霧化体をカラー照明し、これを本体ケーシングの前面の窓部から目視することにより、幻想的な世界に浸れるように構成しても、噴霧体が３ミクロン以上の粒子を含むことから、大きい粒子が超ミスト粒子を吸着して落下すること等の理由により、所望の着色された厚みのある雲状体を形成することができない。
【００１１】
（発明の目的）
本発明は、従来の噴霧装置に関する上述した問題点に鑑みてなされたものであって、水あるいは抗菌剤、抗カビ剤、消臭剤等の溶液が、効率的に０．１ミクロン以下に超ミスト化され、着衣や部屋内をべたつかせるおそれがない噴霧装置を提供することを目的とする。
本発明はまた、水あるいは抗菌剤、抗カビ剤、消臭剤等の噴霧用溶液を無駄に消費しない噴霧装置を提供することを目的とする。
【００１２】
本発明はさらに、噴霧体が、例えば３ミクロン以上の大きい粒子をほとんど含まず、噴霧装置から遠く離れたところや高いところに到達することができ、高い抗菌効果、防カビ効果、消臭効果を得ることができる噴霧装置を提供することを目的とする。
本発明はさらに、所望の着色された厚みのある雲状体を形成することができ、幻想的な世界に浸れるように構成された噴霧装置を提供することを目的とする。
【課題を解決するための手段】
【００１３】
本発明は、液体を超音波発振器によって霧化して外部へ噴射する噴霧装置であって、
第１霧化室において、超音波発振器によって上方へ向けて発生した液体粒子をスカート部付きの跳ね返し部で下方へ跳ね返し、上部後方部から入れられた下向きのエア流れによって液面方向へ下降させた後、上方の第２霧化室へ移動させ、
第２霧化室において、後側下部から上向きに入れられた液体粒子を、水平旋回のエア流れと、上部後方部から入れられた下向きのエア流れによって攪拌し、概ね１ミクロン以下の液体粒子を上部後方部から外部へ噴射することを特徴とする噴霧装置である。
【００１４】
本発明の実施態様は、以下のとおりである。
前記第１霧化室の下向きのエア流れが、前記第１霧化室の上部に水平方向に流入され、前壁面に当たって下降することを特徴とする。
前記第２霧化室の下向きのエア流れが、前記第２霧化室の上部に水平方向に流入され、前壁面に当たって下降することを特徴とする。
【発明の効果】
【００１５】
本発明の噴霧装置によれば、水あるいは抗菌剤、抗カビ剤、消臭剤等の溶液が、効率的に１ミクロン以下に超ミスト化され、着衣や部屋内をべたつかせるおそれがない効果を有する。特に，大気中の煙草の煙の粒子は０．１ミクロン前後、油煙の粒子は一ないし０．０１ミクロン、ウイルスの粒子は０．１ミクロン前後、風邪のウイルスの粒子は０．０２ないし０．００２ミクロン、永久大気塵埃（浮遊）の粒子は１ないし０．００１ミクロン、煙霧の粒子は１ないし０．１ミクロンであることを考慮すると、０．１ミクロンより大きい粒子を含まない液体粒子は、加湿効果に加えて、大きな抗菌効果、防カビ効果、消臭効果をもたらすことができる。０．１ミクロンより大きい液体粒子が噴出された場合、不効果的で不要な液体が噴射されるのであるから、液体が無駄に消費されることはもちろんである。
【００１６】
本発明の噴霧装置によればまた、水あるいは抗菌剤、抗カビ剤、消臭剤等の噴霧用溶液を無駄に消費しない噴霧装置を提供できる効果を有する。
本発明の噴霧装置はさらに、噴霧体が、例えば３ミクロン以上の大きい粒子をほとんど含まず、噴霧装置から遠く離れたところや高いところに到達することができ、高い抗菌効果、防カビ効果、消臭効果を得ることができる噴霧装置を提供することができる効果を有する。
本発明の噴霧装置によればさらに、所望の着色された厚みのある雲状体を形成することができ、幻想的な世界に浸れるように構成された噴霧装置を提供することができる効果を有する。
【発明を実施するための最良の形態】
【００１７】
以下、本発明の実施形態の噴霧装置を図に基づいて説明する。図１は、本発明の実施態様の噴霧装置の斜視図である。図２は、図１に線II−IIによって概ねの断面位置を示す、中心前後方向断面図である。図３は、図１に線III−IIIによって概ねの断面高さ位置を示す、水平断面図である。図４は、霧化室部材の斜視図である。図５は、第１霧化室の構成及び作動を示す霧化室説明図である。
【００１８】
噴霧装置１０は、液体を霧化させて微粒子を噴霧させ、雰囲気中を加湿するものであり、一般的に加湿を目的とする場合の液体は、水道水、蒸留水等である。該液体に、抗菌剤、抗カビ剤、消臭剤、芳香剤等を含有させることもできる。
【００１９】
本発明の噴霧装置１０は、図１に示すように、上面に噴霧方向を変更可能な噴霧口１２を有し、前面に液体の霧化状態を見ることができる観察窓１４を有する。観察窓１４の上方には、複数の操作ボタン１６及び作動状態を示す複数の表示ＬＥＤ１８が設けられている。
【００２０】
噴霧装置１０の内部には、取り外して充填可能な液体タンク（図示せず）が観察窓１４の左右の内部に収納されている。噴霧装置１０の左右方向の中央部分には、図２及び図３に示すように、下部に第１霧化室２０、その上方に第２霧化室２２、その上方に噴射部２４が形成されている。噴霧装置１０の後側には、送風部３０が形成されている。送風部３０の下方には、モータ付きファン３２が配置され、その上方には導風路３４が形成されている。モータ付きファン３２が駆動されると、送風部３０内は加圧となり、後述する複数のエア吹出口からエアが噴射される。
【００２１】
第１霧化室２０は、第１前面４２、第１底面４４、第１左側面４６、第１右側面４７、及び第１後面４８が一体に形成されている。第１底面４４の中央部には超音波発信器５０が配置されている。第１霧化室２０には、液体タンク（図示せず）から液体が導入され、通常一定量の液体が収容されて、水位レベルＬが維持されている。
【００２２】
第１霧化室２０には、霧化チャンバ部材６０が配置されている。霧化チャンバ部材６０は、図４に示すように、概ね底部が無いボックス形状であり、チャンバ頂上面６２の中央部すなわち超音波発信器５０の真上に、ステンレス等の金属円板６４を固着した跳ね返し部６６が形成されている。金属円板６４は、中央部が凹んだ球面板であり、その内面には凹凸が形成されている。跳ね返し部６６の周囲には、下向きに延びた円筒型突起であるスカート部６７が形成されている。霧化チャンバ部材６０のチャンバ後面６８の上方には、吹込噴射開口７０が形成されている。
霧化チャンバー部材６０のチャンバ後面６８と、第１後面４８の間には、間隔９０がある。吹込噴射開口７０の真後ろにあたる第１後面４８の部分には、第１エア吹出口９２が形成されている。
【００２３】
第１霧化室２０においては、図５に示すように、水位レベルＬで示す位まで液体が収容され、超音波発信器５０が作動されられて、種々の寸法の液体粒子が吹き上げられて金属円板６４に突き当たる。一方、第１霧化室２０においては、第１エア吹出口９２から吹き出されたエアが吹込噴射開口７０から流入される。流入されたエアの多くは、超音波発信器５０から吹き上げら粒子の流れと交差した後、霧化チャンバ部材６０のチャンバ前面４９に当たって下方に流れる。このようにして、霧化チャンバ部材６０内において、液体粒子は、前側において下降し、水位レベルＬの近くまで下がり、その後後側において上昇し、吹込噴射開口７０から第２霧化室２２へ移動する。第１霧化室２０から第２霧化室２２に入る霧化粒子は、１ミクロン以下のものがほとんどである。
【００２４】
第２霧化室２２は、前傾きの円筒面である第２後面１００、第２左側面１０２、第２右側面（図示せず）、取り外し可能で透明であり第２霧化室２２内部を観ることができる観察窓１４を含む第２前面１０６からなる。第２霧化室２２の底部は、チャンバ頂上面６２である。第２霧化室２２の頂上部は、複数の操作ボタン１６及び作動状態を示す複数の表示ＬＥＤ１８を配置した操作制御室１１０との上方隔壁１１２である。上方隔壁１１２には、第２霧化室２２内を照明するための複数の照明ＬＥＤ１１４が設けられている。
【００２５】
第２後面１００は、図２に示すように、左側縁部に上から順に第２Ａエア吹出口１２０、第２Ｂエア吹出口１２２、第２Ｃエア吹出口１２４、第２Ｄエア吹出口１２６が設けられている。第２後面１００には、さらに、後方上方に第２Ｅエア吹出口１２８が設けられている。
【００２６】
第２霧化室２２においては、第２Ａエア吹出口１２０、第２Ｂエア吹出口１２２、第２Ｃエア吹出口１２４、第２Ｄエア吹出口１２６からのエアの吹出しによって水平なエア旋回流れが形成される。一方、吹込噴射開口７０から出た液体粒子は、霧化チャンバ部材６０のチャンバ後面６８と第１後面４８の間の間隔９０を通過して、第２後面１００に沿って上昇する。上昇した液体粒子は、第２Ｅエア吹出口１２８から噴射されたエアによって前方に移動し、さらに液体粒子は観察窓１４に沿って下降する。このようなエアの流れによって、厚みのある雲状体の液体粒子を形成することができ、幻想的な世界に浸れる。この厚みのある雲状体の液体粒子は、所望により着色照明される。第２霧化室２０から噴射部２４に入る霧化粒子は、０．１ミクロン以下のものがほとんどである。
【００２７】
噴射部２４は、底面１４０にエア吹き出し用の第３吹出口１４２が設けられている。頂面１４４に噴霧口１２が水平方向に回転可能に設けられている。第２霧化室２２の後側上方から噴射部２４に入った液体粒子は、第３吹出口１４２からのエアと一緒になって噴霧口１２から外部へ噴射される。
【図面の簡単な説明】
【００２８】
【図１】図１は、本発明の実施態様の噴霧装置の斜視図である。
【図２】図２は、図１に線II−IIによって概ねの断面位置を示す、中心前後方向断面図である。
【図３】図３は、図１に線III−IIIによって概ねの断面高さ位置を示す、水平断面図である。
【図４】図４は、霧化室部材の斜視図である。
【図５】図５は、第１霧化室の構成及び作動を示す霧化室説明図である。
【符号の説明】
【００２９】
Ｌ          水位レベル
１０        噴霧装置
１２        噴霧口
１４        観察窓
１６        操作ボタン
１８        表示ＬＥＤ
２０        第１霧化室
２２        第２霧化室
２４        噴射部
３０        送風部
３２        モータ付きファン
３４        導風路
４２        第１前面
４４        第１底面
４６        第１左側面
４７        第１右側面
４８        第１後面
５０        超音波発信器
６０        霧化チャンバ部材
６４        金属円板
６６        跳ね返し部
６７        スカート部
６８        チャンバ後面
７０        吹込噴射開口
９２        第１エア吹出口
１００      第２後面
１０２      第２左側面
１０６      第２前面
１１０      操作制御室
１１２      上方隔壁
１２０      第２Ａエア吹出口
１２２      第２Ｂエア吹出口
１２４      第２Ｃエア吹出口
１２６      第２Ｄエア吹出口
１２８      第２Ｅエア吹出口
１４２      第３吹出口
【図１】
2007130555.tif 000003
【図２】
2007130555.tif 000004
【図３】
2007130555.tif 000005
【図４】
2007130555.tif 000006
【図５】
2007130555.tif 000007